(57)【要約】【課題】マグネット錠のロック解除及びシャッターの開放位置までの移動のための操作性を向上させることができるシリンダ錠の保護装置を提供する。【解決手段】イグニッションキーＩＫを挿入し得るキー孔Ｒａが形成されたロータＲを覆って取り付けられるハウジング１と、該ハウジング１内で閉塞位置と開放位置との間で移動可能とされ、閉塞位置でキー孔Ｒａを塞ぐとともに開放位置で当該キー孔Ｒａを開放するシャッター２と、運転者が携帯可能なマグネットキーＭＫを当接させつつ操作することにより、閉塞位置にあるシャッター２を開放位置まで移動可能とするマグネット錠３とを具備したシリンダ錠の保護装置において、マグネットキーＭＫをマグネット錠３に当接させつつ押圧操作することにより、閉塞位置にあるシャッター２を開放位置まで移動させ得るものである。【選択図】図２
2015203273.tif 000002
【特許請求の範囲】
【請求項１】
イグニッションキーを挿入し得るキー孔が形成されたロータを覆って取り付けられるハウジングと、
該ハウジング内で閉塞位置と開放位置との間で移動可能とされ、閉塞位置で前記キー孔を塞ぐとともに開放位置で当該キー孔を開放するシャッターと、
運転者が携帯可能なマグネットキーを当接させつつ操作することにより、前記閉塞位置にあるシャッターを前記開放位置まで移動可能とするマグネット錠と、
を具備したシリンダ錠の保護装置において、
前記マグネットキーを前記マグネット錠に当接させつつ押圧操作することにより、前記閉塞位置にある前記シャッターを前記開放位置まで移動させ得ることを特徴とするシリンダ錠の保護装置。
【請求項２】
前記マグネット錠は、
前記マグネットキーと当接可能な当接面を有するとともに、当該マグネットキーの押圧方向に移動可能な当接部材と、
該当接部材の移動により作動し、当該当接部材と共にマグネットキーの押圧方向に移動するとともに、前記閉塞位置にある前記シャッターを前記開放位置に移動させ得る作動部材と、
前記当接面に当接したマグネットキーからの磁気により係止位置から非係止位置に移動可能とされるとともに、当該係止位置にあるとき、前記当接部材と作動部材とを係止して当該作動部材の作動を規制し、前記非係止位置にあるとき、前記当接部材と作動部材との係止を解除して当該作動部材を作動可能とする係止磁石と、
を有したことを特徴とする請求項１記載のシリンダ錠の保護装置。
【請求項３】
前記作動部材は、前記マグネットキーの前記当接面に対する押圧力を受けて回転し、前記シャッターを前記閉塞位置から前記開放位置に回動させ得ることを特徴とする請求項２記載のシリンダ錠の保護装置。
【請求項４】
前記作動部材は、
前記マグネットキーの押圧方向に移動しつつ回転可能とされるともに、外周面に螺旋状の溝が形成されたローラ部材と、
該ローラ部材の溝に嵌合して組み付けられ、前記ローラ部材が前記マグネットキーの押圧方向に移動する過程で回転させる突起部と、
前記ローラ部材の回転時に前記シャッターを連動させて前記閉塞位置から開放位置まで回動させ得る連動部と、
を有することを特徴とする請求項３記載のシリンダ錠の保護装置。
【請求項５】
前記突起部は、前記マグネットキーの押圧方向に移動可能な可動部材に形成されるとともに、当該可動部材が前記マグネットキーからの押圧力に抗する付勢手段にて付勢されて組み付けられたことを特徴とする請求項４記載のシリンダ錠の保護装置。
【発明の詳細な説明】
【技術分野】
【０００１】
本発明は、二輪車などが具備するシリンダ錠の破壊等を防止し得るシリンダ錠の保護装置に関するものである。
【背景技術】
【０００２】
二輪車のシリンダ錠は、通常、イグニッションキーを挿抜可能なキー孔が形成されたロータを具備しており、従来、第三者によるはさみやドライバ等の当該キー孔への差し込みでシリンダ錠がいたずらされて破壊されるのを防止するために、シリンダ錠の保護装置が提案されている。かかる保護装置は、例えば特許文献１に開示されているように、キー孔を閉状態とする閉塞位置から当該キー孔を開状態とする開放位置まで移動可能なシャッターと、該シャッターを開放位置と閉塞位置との間で移動自在に保持するハウジングと、シャッターを閉塞位置に保持することによりキー孔を閉塞して施錠するマグネット錠とを具備していた。
【０００３】
マグネット錠は、閉塞位置にあるシャッターと係止してロックし得る係止磁石を有するとともに、マグネットキーと当接可能な当接面が形成され、当該当接面に当接したマグネットキーからの磁気によって係止磁石を非係止位置まで移動させてシャッターのロックを解除し得るよう構成されていた。そして、マグネットキーの当接面に対する当接を維持しつつ当該マグネットキーを所定方向に回転操作することにより、閉塞位置にあるシャッターを開放位置まで回動させることが可能とされていた。
【先行技術文献】
【特許文献】
【０００４】
【特許文献１】特開２００１−３１７２４３号公報
【発明の概要】
【発明が解決しようとする課題】
【０００５】
しかしながら、上記従来のシリンダ錠の保護装置は、シャッターを閉塞位置から開放位置まで回動させるためには、マグネットキーをシリンダ錠の当接面に当接させた後、回転操作する必要があり、操作性が十分でないという問題があった。すなわち、シャッターのロックを解除する際のマグネットキーの当接方向と、ロック解除された後のシャッターを開放位置まで回動させる際のマグネットキーの操作方向とが異なるため、操作性が不十分となってしまうのである。
【０００６】
本発明は、このような事情に鑑みてなされたもので、マグネット錠のロック解除及びシャッターの開放位置までの移動のための操作性を向上させることができるシリンダ錠の保護装置を提供することにある。
【課題を解決するための手段】
【０００７】
請求項１記載の発明は、イグニッションキーを挿入し得るキー孔が形成されたロータを覆って取り付けられるハウジングと、該ハウジング内で閉塞位置と開放位置との間で移動可能とされ、閉塞位置で前記キー孔を塞ぐとともに開放位置で当該キー孔を開放するシャッターと、運転者が携帯可能なマグネットキーを当接させつつ操作することにより、前記閉塞位置にあるシャッターを前記開放位置まで移動可能とするマグネット錠とを具備したシリンダ錠の保護装置において、前記マグネットキーを前記マグネット錠に当接させつつ押圧操作することにより、前記閉塞位置にある前記シャッターを前記開放位置まで移動させ得ることを特徴とする。
【０００８】
請求項２記載の発明は、請求項１記載のシリンダ錠の保護装置において、前記マグネット錠は、前記マグネットキーと当接可能な当接面を有するとともに、当該マグネットキーの押圧方向に移動可能な当接部材と、該当接部材の移動により作動し、当該当接部材と共にマグネットキーの押圧方向に移動するとともに、前記閉塞位置にある前記シャッターを前記開放位置に移動させ得る作動部材と、前記当接面に当接したマグネットキーからの磁気により係止位置から非係止位置に移動可能とされるとともに、当該係止位置にあるとき、前記当接部材と作動部材とを係止して当該作動部材の作動を規制し、前記非係止位置にあるとき、前記当接部材と作動部材との係止を解除して当該作動部材を作動可能とする係止磁石とを有したことを特徴とする。
【０００９】
請求項３記載の発明は、請求項２記載のシリンダ錠の保護装置において、前記作動部材は、前記マグネットキーの前記当接面に対する押圧力を受けて回転し、前記シャッターを前記閉塞位置から前記開放位置に回動させ得ることを特徴とする。
【００１０】
請求項４記載の発明は、請求項３記載のシリンダ錠の保護装置において、前記作動部材は、前記マグネットキーの押圧方向に移動しつつ回転可能とされるともに、外周面に螺旋状の溝が形成されたローラ部材と、該ローラ部材の溝に嵌合して組み付けられ、前記ローラ部材が前記マグネットキーの押圧方向に移動する過程で回転させる突起部と、前記ローラ部材の回転時に前記シャッターを連動させて前記閉塞位置から開放位置まで回動させ得る連動部とを有することを特徴とする。
【００１１】
請求項５記載の発明は、請求項４記載のシリンダ錠の保護装置において、前記突起部は、前記マグネットキーの押圧方向に移動可能な可動部材に形成されるとともに、当該可動部材が前記マグネットキーからの押圧力に抗する付勢手段にて付勢されて組み付けられたことを特徴とする。
【発明の効果】
【００１２】
請求項１の発明によれば、マグネットキーをマグネット錠に当接させつつ押圧操作することにより、閉塞位置にあるシャッターを開放位置まで移動させ得るので、マグネットキーをマグネット錠に当接させた後、回動操作等するものに比べ、マグネット錠のロック解除及びシャッターの開放位置までの移動のための操作性を向上させることができる。
【００１３】
請求項２の発明によれば、マグネット錠は、マグネットキーと当接可能な当接面を有するとともに、当該マグネットキーの押圧方向に移動可能な当接部材と、該当接部材の移動により作動し、当該当接部材と共にマグネットキーの押圧方向に移動するとともに、閉塞位置にあるシャッターを開放位置に移動させ得る作動部材と、当接面に当接したマグネットキーからの磁気により係止位置から非係止位置に移動可能とされるとともに、当該係止位置にあるとき、当接部材と作動部材とを係止して当該作動部材の作動を規制し、非係止位置にあるとき、当接部材と作動部材との係止を解除して当該作動部材を作動可能とする係止磁石とを有したので、より円滑に閉塞位置にあるシャッターを開放位置に移動させることができる。
【００１４】
請求項３の発明によれば、作動部材は、マグネットキーの当接面に対する押圧力を受けて回転し、シャッターを閉塞位置から開放位置に回動させ得るので、シャッターが摺動等して開放位置に移動するものに比べ、装置の小型化を図ることができるともに、装置構成を簡素化できる。
【００１５】
請求項４の発明によれば、作動部材は、マグネットキーの押圧方向に移動しつつ回転可能とされるともに、外周面に螺旋状の溝が形成されたローラ部材と、該ローラ部材の溝に嵌合して組み付けられ、ローラ部材がマグネットキーの押圧方向に移動する過程で回転させる突起部と、ローラ部材の回転時にシャッターを連動させて閉塞位置から開放位置まで回動させ得る連動部とを有するので、マグネットキーの押圧力をより効率よく作動部材の回転に変換させることができ、閉塞位置にあるシャッターをより円滑且つ確実に開放位置まで移動させることができる。
【００１６】
請求項５の発明によれば、突起部は、マグネットキーの押圧方向に移動可能な可動部材に形成されるとともに、当該可動部材がマグネットキーからの押圧力に抗する付勢手段にて付勢されて組み付けられたので、係止磁石が係止位置にある状態においてマグネット錠の当接面に対して過大な力で押圧すると、ローラ部材と共に可動部材が付勢手段の付勢力に抗して押圧方向に移動することとなる。これにより、正規のマグネットキーとは異なるものを当接面に当接させつつ過大な力で押圧させた際、シャッターを閉塞位置に維持させることができるので、ローラ部材の破損等を防止しつつ防犯性をより向上させることができる。
【図面の簡単な説明】
【００１７】
【図１】本発明の実施形態に係るシリンダ錠の保護装置を示す平面図及び側面図
【図２】図１におけるＩＩ−ＩＩ線断面図
【図３】図１におけるＩＩＩ−ＩＩＩ線断面図
【図４】図１におけるＩＶ−ＩＶ線断面図
【図５】図１におけるＶ−Ｖ線断面図
【図６】同シリンダ錠の保護装置を示す分解斜視図
【図７】同シリンダ錠の保護装置における当接部材の裏面側を示すための斜視図
【図８】同シリンダ錠の保護装置における可動部材を示す平面図及び正面図
【図９】同シリンダ錠の保護装置におけるシャッターが閉塞位置にある状態を示す斜視図
【図１０】同シリンダ錠の保護装置におけるシャッターが開放位置にある状態を示す斜視図
【図１１】同シリンダ錠の保護装置におけるマグネットキーを示す平面図及び正面図
【図１２】同シリンダ錠の保護装置における係止磁石による係止状態及び係止の解除状態を示す模式図であって、（ａ）係止状態を示す模式図、（ｂ）係止が解除された状態を示す模式図
【発明を実施するための形態】
【００１８】
以下、本発明の実施形態について図面を参照しながら具体的に説明する。
本実施形態に係るシリンダ錠の保護装置は、二輪車が具備するシリンダ錠のキー孔上方に設けられ、当該キー孔を外側から開放又は閉塞することによりシリンダ錠を保護し得るもので、図１〜８に示すように、ハウジング１と、シャッター２と、マグネット錠３と、操作ボタン１０とを有し、マグネットキーＭＫ（図１１参照）によりシャッター２を回動し得るものとされている。
【００１９】
ハウジング１は、イグニッションキーＩＫ（図１１参照）を挿入し得るキー孔Ｒａが形成されたロータＲを覆って取り付けられるもので、主に本体部１ａ及びカバー部１ｂにて構成されている。より具体的に説明すると、本体部１ａには、本シリンダ錠の保護装置を構成する各部品が取り付けられるとともに、カバー部１ｂには、ロータＲのキー孔Ｒａが形成された部位を外部に臨ませる開口ａ、マグネット錠３のマグネットキーＭＫを当接させる面（当接面４ａ）を外部に臨ませる開口ｂ、及び操作ボタン１０を突出させる開口ｃがそれぞれ形成されている。
【００２０】
ロータＲは、キー孔ＲａにイグニッションキーＩＫを挿入した状態にて回動操作可能とされており、二輪車が具備するエンジンを始動させるオン位置、当該エンジンを停止させるオフ位置、及び車両が具備するハンドルバーをロックするロック位置の間を回動可能とされている。なお、ロータＲがオフ位置にあるとき、キー孔Ｒａに挿入したイグニッションキーＩＫを押圧して押し込み、その状態で図１中左側へ回動させることにより、ロック位置までの回動操作が可能とされている。このロック位置にロータＲが移動すると、ロータが配設されたシリンダボディ（不図示）内のロックバー（不図示）が突出するよう構成されており、当該ロックバーがハンドルバーの回動軸に形成されたロック孔（不図示）内に挿入して係止することにより、当該ハンドルバーに対するロックがなされるようになっている。
【００２１】
シャッター２は、ハウジング１内で閉塞位置（図９参照）と開放位置（図１０参照）との間で移動（本実施形態においては回動）可能とされ、閉塞位置でキー孔Ｒａを塞ぐとともに開放位置でキー孔Ｒａを開放し得るものである。かかるシャッター２は、図６に示すように、円環状の嵌合孔２ａが形成されており、後述する当接部材４の外周に当該嵌合孔２ａを嵌合して組み付けることで、当該当接部材４を中心に回動可能とされている。
【００２２】
また、シャッター２は、図示しないバネ部材（トーションバネやコイルスプリング等の付勢手段）によって、開放位置から閉塞位置に向かって常時付勢されているとともに、開放位置にあるとき、操作ボタン１０に係止されるよう構成されている。すなわち、シャッター２は、操作ボタン１０の被係止部１０ａ（図９、１０参照）と係止可能な係止部２ｃ（図６参照）が形成されており、押しボタン１０を押圧操作すると当該係止が解かれ、図示しないバネ部材によってシャッター２が開放位置から閉塞位置に回動し得るようになっている。
【００２３】
マグネット錠３は、運転者が携帯可能なマグネットキーＭＫを当接させつつ押圧操作することにより、閉塞位置にあるシャッター２を開放位置まで移動（本実施形態においては回動）可能とするもので、図２、６に示すように、ハウジング１内において上下方向に略同軸上に配設された当接部材４及び作動部材５と、これら当接部材４及び作動部材５の間に介在する係止磁石６とを有して構成されている。
【００２４】
当接部材４は、マグネットキーＭＫと当接可能な当接面４ａを上面（開口ｂにて外部に臨ませた面）に有するとともに、当該マグネットキーＭＫの押圧方向（図２の下方）に移動可能なものである。また、当接部材４における作動部材５と対向した面（裏面）には、係止磁石６の上部が嵌合して係止可能な係止穴４ｂを複数（本実施形態においては４つ）有している。
【００２５】
作動部材５は、当接部材４の移動により作動し、当該当接部材４と共にマグネットキーＭＫの押圧方向（図２の下方）に移動するとともに、閉塞位置にあるシャッター２を開放位置に移動させ得るものである。ここで、本実施形態に係る作動部材５は、マグネットキーＭＫの当接面４ａに対する押圧力を受けて軸回りに回転し、シャッター２を閉塞位置から開放位置に回動させ得るよう構成されており、螺旋状の溝５ａａが外周面に形成されたローラ部材５ａと、突起部８ａを有した可動部材８と、連動部５ｂとを有して構成されている。
【００２６】
ローラ部材５ａは、マグネットキーＭＫの押圧方向に移動しつつ回転可能とされる筒状部材から成り、側面に螺旋状の溝５ａａが形成されるとともに、上面に係止磁石６及びコイルスプリングから成る付勢手段７を収容可能しつつ係止孔４ｂと対応した収容穴５ｃが複数（本実施形態においては４つ）形成されている。また、ローラ部材５ａの下部には、コイルスプリングｓが配設されており、マグネットキーＭＫにて押圧操作されると、当該コイルスプリングｓの付勢力に抗してローラ部材５ａが下降するようになっている。なお、本実施形態においては、収容穴５ｃが形成された部材と溝５ａａが形成された部材とが別体とされており、これらを一体化することでローラ部材５ａを形成しているが、溝５ａａが形成された部材の上部に収容穴５ｃを形成してローラ部材５ａを形成するようにしてもよい。
【００２７】
突起部８ａは、マグネットキーＭＫの押圧方向（図２中下方）に移動可能な可動部材８（図８参照）に形成された凸状部から成り、ローラ部材５ａの溝５ａａに嵌合して組み付けられ、ローラ部材５ａがマグネットキーＭＫの押圧方向に移動する過程で軸回りに回転させるものである。しかして、ローラ部材５ａがマグネットキーＭＫの押圧方向に移動（軸方向に摺動）する際、その側面の螺旋状の溝５ａａに突起部８ａが嵌入していることから、押圧力が回転方向にも及ぶこととなり、ローラ部材５ａを移動させつつ回転させ得るのである。
【００２８】
一方、可動部材８は、マグネットキーＭＫからの押圧力に抗するコイルスプリング９（付勢手段）にて付勢されて組み付けられており、ローラ部材５ａが回転しつつ押圧される際、可動部材８が所定位置にて保持されるとともに、ローラ部材５ａが回転せず所定以上の負荷にて押圧される際、その負荷が突起部８ａを介して可動部材８に伝達され、押圧方向に移動させるようになっている。
【００２９】
連動部５ｂは、ローラ部材５ａから一体的に突出形成された凸状部位から成り、ローラ部材５ａの回転時にシャッター２を連動させて閉塞位置から開放位置まで回動させ得るものである。すなわち、正規のマグネットキーＭＫを当接面４ａに当接させつつ押圧操作すると、後述する係止磁石６による係止が解除された後、当接部材４及び作動部材５が押圧方向に移動するとともに、作動部材５が軸回りに回転するので、連動部５ｂが閉塞位置にあるシャッター２の所定部位２ｂ（図６参照）と干渉して開放位置まで回動させ得るのである。
【００３０】
なお、マグネットキーＭＫの押圧操作によってシャッター２が開放位置に至ると、係止部２ｃが操作ボタン１０の被係止部１０ａに係止されて当該シャッター２が開放位置にて保持されることとなる。そして、キー孔ＲａからイグニッションキーＩＫを抜き取った後、操作ボタン１０を押圧操作することにより、係止部２ｃと被係止部１０ａとの係止が解かれるので、シャッター２が図示しない付勢手段によって閉塞位置まで回動するとともに、係止磁石６によって当接部材４と作動部材５とが係止されてマグネット錠３によるロックがなされることとなる。
【００３１】
係止磁石６は、既述したように、コイルスプリングｓと共に作動部材５の収容穴５ｃに収容されるとともに、その上端部が当接部材４の係止穴４ｂと係止可能な磁石片から成り、当接面４ａに当接したマグネットキーＭＫからの磁気により係止位置（図１２（ａ）参照）から非係止位置（同図（ｂ）参照）に移動可能とされたものである。そして、係止磁石６が係止位置にあるとき、当接部材４と作動部材５とを係止して当該作動部材５の作動（当接部材４に対する回転）を規制し、非係止位置にあるとき、当接部材４と作動部材５との係止を解除して当該作動部材５を作動可能（当接部材４に対する回転可能）とするようになっている。
【００３２】
マグネットキーＭＫは、図１１、１２に示すように、イグニッションキーＩＫの把持部に一体成形された部位から成り、内部に磁石Ｍを有して成る。そして、図１２（ｂ）に示すように、マグネットキーＭＫを当接部材４の表面に形成された当接面４ａに嵌合させつつ当接させると、磁石Ｍと係止磁石６とが対向するとともに、これら磁石Ｍ及び係止磁石６が互いに同じ極（Ｓ極とＳ極又はＮ極とＮ極）が対峙するよう設定されている。
【００３３】
しかして、マグネットキーＭＫを当接部材４の当接面４ａに当接させることにより、磁石Ｍの磁気が係止磁石６に及ぶこととなり、これら磁石Ｍ及び係止磁石６の磁力に伴う反発力で当該係止磁石６が付勢手段７の付勢力に抗して下降し、係合穴４ｂとの嵌合が解かれることとなるので、当接面４ａに当接させたマグネットキーＭＫをそのまま押圧操作することにより、当接部材４及び作動部材５を押圧方向に移動させつつ作動部材５を当接部材４に対して回転させることができるのである。
【００３４】
上記実施形態によれば、マグネットキーＭＫをマグネット錠３（当接部材４の当接面４ａ）に当接させつつ押圧操作することにより、閉塞位置にあるシャッター２を開放位置まで移動させ得るので、マグネットキーＭＫをマグネット錠３に当接させた後、回動操作等するものに比べ、マグネット錠３のロック解除及びシャッター２の開放位置までの移動のための操作性を向上させることができる。
【００３５】
また、本実施形態に係るマグネット錠３は、マグネットキーＭＫと当接可能な当接面４ａを有するとともに、当該マグネットキーＭＫの押圧方向に移動可能な当接部材４と、該当接部材４の移動により作動し、当該当接部材４と共にマグネットキーＭＫの押圧方向に移動するとともに、閉塞位置にあるシャッター２を開放位置に移動させ得る作動部材５と、当接面４ａに当接したマグネットキーＭＫからの磁気により係止位置から非係止位置に移動可能とされるとともに、当該係止位置にあるとき、当接部材４と作動部材５とを係止して当該作動部材５の作動を規制し、非係止位置にあるとき、当接部材４と作動部材５との係止を解除して当該作動部材５を作動可能とする係止磁石６とを有したので、より円滑に閉塞位置にあるシャッター２を開放位置に移動させることができる。
【００３６】
さらに、本実施形態に係る作動部材５は、マグネットキーＭＫの当接面４ａに対する押圧力を受けて回転し、シャッター２を閉塞位置から開放位置に回動させ得るので、シャッター２が摺動等して開放位置に移動するものに比べ、装置の小型化を図ることができるともに、装置構成を簡素化できる。なお、本実施形態においては、マグネットキーＭＫの押圧操作により、作動部材５が回転してシャッター２を閉塞位置から開放位置まで回動させているが、マグネットキーＭＫの押圧操作により、シャッター２を閉塞位置から開放位置まで摺動等させるものとしてもよい。
【００３７】
またさらに、本実施形態に係る作動部材５は、マグネットキーＭＫの押圧方向に移動しつつ回転可能とされるともに、外周面に螺旋状の溝５ａａが形成されたローラ部材５ａと、該ローラ部材５ａの溝５ａａに嵌合して組み付けられ、ローラ部材５ａがマグネットキーＭＫの押圧方向に移動する過程で回転させる突起部８ａと、ローラ部材５ａの回転時にシャッター２を連動させて閉塞位置から開放位置まで回動させ得る連動部５ｂとを有するので、マグネットキーＭＫの押圧力をより効率よく作動部材５の回転に変換させることができ、閉塞位置にあるシャッター２をより円滑且つ確実に開放位置まで移動させることができる。
【００３８】
また、本実施形態に係る突起部８ａは、マグネットキーＭＫの押圧方向に移動可能な可動部材８に形成されるとともに、当該可動部材８がマグネットキーＭＫからの押圧力に抗するコイルスプリング９（付勢手段）にて付勢されて組み付けられたので、係止磁石６が係止位置にある状態においてマグネット錠３の当接面４ａに対して過大な力で押圧すると、ローラ部材５ａと共に可動部材８がコイルスプリング９（付勢手段）の付勢力に抗して押圧方向に移動することとなる。これにより、正規のマグネットキーＭＫとは異なるものを当接面４ａに当接させつつ過大な力で押圧させた際、シャッター２を閉塞位置に維持させることができるので、ローラ部材５ａの破損等を防止しつつ防犯性をより向上させることができる。
【００３９】
以上、本実施形態について説明したが、本発明はこれに限定されず、マグネットキーＭＫをマグネット錠３に当接させつつ押圧操作することにより、閉塞位置にあるシャッター２を開放位置まで移動させ得るものであれば、他の機構のものであってもよい。また、ローラ部材５ａの螺旋状の溝５ａａに突起部８ａを嵌合させることにより当該ローラ部材５ａを回転させてシャッター２を閉塞位置から開放位置に回動可能とされているが、他の構成としてもよい。
【産業上の利用可能性】
【００４０】
マグネットキーをマグネット錠に当接させつつ押圧操作することにより、閉塞位置にあるシャッターを開放位置まで移動させ得るシリンダ錠の保護装置であれば、外観形状が異なるもの或いは他の機能が付加されたもの等にも適用することができる。
【符号の説明】
【００４１】
１  ハウジング
２  シャッター
３  マグネット錠
４  当接部材
４ａ  当接面
５  作動部材
５ａ  ローラ部材
５ｂ  連動部
６  係止磁石
７  付勢手段
８  可動部材
８ａ  突起部
９  コイルスプリング（付勢手段）
１０  操作ボタン
ＭＫ  マグネットキー
ＩＫ  イグニッションキー
【図１】
2015203273.tif 000003
【図２】
2015203273.tif 000004
【図３】
2015203273.tif 000005
【図４】
2015203273.tif 000006
【図５】
2015203273.tif 000007
【図６】
2015203273.tif 000008
【図７】
2015203273.tif 000009
【図８】
2015203273.tif 000010
【図９】
2015203273.tif 000011
【図１０】
2015203273.tif 000012
【図１１】
2015203273.tif 000013
【図１２】
2015203273.tif 000014